(57)【特許請求の範囲】
【請求項１】
歯ブラシが所定の加圧力以上でのブラッシングのときにヘッド部が反り返るように反転可能に形成した適正加圧の歯ブラシであって、
歯ブラシのヘッドと把持部との間のヘッド支持部がブラシと反対方向に突き出た湾曲状として、所定の加圧力以上でのブラッシングのときにヘッド部が反り返るように反転可能なステンレススチールシート等の弾性材でヘッド支持部を形成して、
上記弾性材を０．２〜０．５ｍｍ厚さの所定の長さとした両端に比べて中央にいく程二又状の間隔を幅広くして調整した３００〜３５０ｇまたは２５０〜３００ｇの加圧力のブラッシング力のものを形成したことを特徴とする適正加圧の歯ブラシ。
【請求項２】
歯が健康な状態には上記弾性材を０．２〜０．５ｍｍ厚さの所定の長さとした両端に比べて中央にいく程二又状の間隔を幅広くして調整した３００〜３５０ｇの加圧力のブラッシング力のものを形成したことを特徴とする請求項１に記載の適正加圧の歯ブラシ。
【請求項３】
歯が歯周病にかかった状態には上記弾性材を０．２〜０．５ｍｍ厚さの所定の長さとした両端に比べて中央にいく程二又状の間隔を幅広くして調整した通常よりもやや少ない２５０〜３００ｇの加圧力のブラッシング力のものを形成したことを特徴とする請求項１に記載の適正加圧の歯ブラシ。
【発明の詳細な説明】
【０００１】
【発明の属する技術分野】
本発明は、口腔衛生分野における適正加圧の歯ブラシに関するものである。
【０００２】
【従来の技術】
かつては、１日３回食後３分以内に３分間歯を磨きましょう、といわれてきた。歯を磨くことは、歯を奇麗に保てるとともに、虫歯や歯周病等の予防をはかることができる。
【０００３】
しかし、歯を磨くときに歯ブラシのブラシを歯に押し付ける、すなわち歯を磨く加圧力が強すぎると、ブラシの毛先が開いて歯垢を効果的に取れず、かつ歯肉を傷つけたり、歯の一部分のみを楔状に磨耗してしまう。このような患者が多数見られる。
【０００４】
このようにブラシの毛先を意識せずになんとなく磨いている人では、その歯に６００〜８００ｇの力が負荷し、過剰な圧力となっている。
【０００５】
【発明が解決しようとする課題】
歯科医院では、歯ブラシを２５０〜３５０ｇの力で歯を磨くように患者等に説明したり、指導しているが、従来の歯ブラシではこのような適正な力でブラッシングできているか、否かを判定することができなかった。そのため、歯科医院でのブラッシングの指導をはじめ、自分自身でも適正な力でブラッシングしていることが判断できる歯ブラシを開発することが課題であった。
【０００６】
【課題を解決するための手段】
本発明は、上記のような課題に鑑みたもので、上記の課題を解決するために、歯ブラシが所定の加圧力以上でのブラッシングのときにヘッド部が反り返るように反転可能に形成した適正加圧の歯ブラシであって、歯ブラシのヘッドと把持部との間のヘッド支持部がブラシと反対方向に突き出た湾曲状として、所定の加圧力以上でのブラッシングのときにヘッド部が反り返るように反転可能なステンレススチールシート等の弾性材でヘッド支持部を形成して、上記弾性材を０．２〜０．５ｍｍ厚さの所定の長さとした両端に比べて中央にいく程二又状の間隔を幅広くして調整した３００〜３５０ｇまたは２５０〜３００ｇの加圧力のブラッシング力のものを形成したことを特徴とする適正加圧の歯ブラシを提供するにある。
【０００７】
【発明の実施の態様】
本発明の適正加圧の歯ブラシは、歯ブラシが所定の加圧力以上でのブラッシングのときにヘッド部が反り返るように反転可能に形成した適正加圧の歯ブラシであって、歯ブラシのヘッドと把持部との間のヘッド支持部がブラシと反対方向に突き出た湾曲状として、所定の加圧力以上でのブラッシングのときにヘッド部が反り返るように反転可能なステンレススチールシート等の弾性材でヘッド支持部を形成して、上記弾性材を０．２〜０．５ｍｍ厚さの所定の長さとした両端に比べて中央にいく程二又状の間隔を幅広くして調整した３００〜３５０ｇまたは２５０〜３００ｇの加圧力のブラッシング力のものを形成したことを特徴としている。
【０００８】
歯ブラシ１は、図１、図２のように所定の長さの把持部２に反転可能なヘッド支持部３を介してヘッド４を連結していて、ヘッド４に植設したブラシ５で歯を適正なブラッシング力で磨けるようにしている。
【０００９】
上記ヘッド支持部３としては、薄いステンレススチールシート等の弾性材６を図１のようにブラシ５と反対方向に突き出た湾曲状に形成し、さらに図２、図３のような二又状に分岐して、その中央部分をやや広幅状の間隔に形成していて、ブラシ５を歯に以下で述べる２５０〜３５０ｇの適正な加圧力で押し当てて磨けるようにしているとともに、それ以上の過剰な加圧力で磨いたときには図１の一点鎖線で示したように弾性材６が反り返ってヘッド４を歯と反対方向に反転するようにしている。
【００１０】
その弾性材６による反転の原理構造としては、たとえばヘアーアクセサリーのスリーピンの反転自在の構造のものが採用できるもので、ステンレススチールシート等の０．２〜０．５ｍｍ厚さの弾性シート材を二又状に切欠し、図１〜図３のように所要の弧状にしてその二又状部に捻れの歪みを与えるようにして先端部を接合することによって形成することができる。
【００１１】
そして、歯が歯槽膿漏等の歯周病にかかっていない健康の状態のときには、上記した歯ブラシ１の適正な加圧力を３００〜３５０ｇの適切なブラッシング力に、弾性材６の厚さや長さ、二又状の間隔を調整して設定できるものである。また、歯が歯槽膿漏等の歯周病にかかっている状態のときには、歯ブラシ１の適正な加圧力を２５０〜３００ｇのやや少ない適切なブラッシング力に、弾性材６の厚さや長さ、二又状の間隔を調整して設定できるものである。
【００１２】
ヘッド支持部３は、上記したようにステンレススチールシートで形成すれば防錆効果もあり、外観もそのままで美麗に仕上げることができるが、表面に琺瑯処理等の表面加工を施して美的処理することもできる。
【００１３】
また、図４、図５のようにヘッド支持部３として、所定の厚さのばね鋼シートや鱗青銅シートやベリリウム銅シート、ピアノ線等の弾性材を上記のように使用し、そのまわりに可撓性のナイロン６、６６、ポリウレタン等の樹脂材やシリコン等のゴム材の被覆材７を被覆して形成するなど、本発明の趣旨にもとづいて適宜に実施することができるものである。
【００１４】
また、高価となるが、アモルファスシート、カーボン強化繊維シートや弾性を有するポリイミドのエンジニアリングプラスチックシートなどについても、上記のように
形成して使用することができる。
【００１５】
また、ヘッド支持部３として、図６（ａ）、（ｂ）のようにヘアーアクセサリーで利用されているスリーピンの二又状の先端部を交叉させてリベット８で接合するようにもでき、その両端部を所定の長さとしてヘッド４、把持部２に挿入して一体形成して所要の強度のものとすることできる。なお、上記では弾性材を一枚としたが、全体または一部を二重状に重ね合わせて所要のブラシ支持力としたり、反転変換力とすることができる。
【００１６】
なお、歯ブラシの把持部やヘッド、ブラシは従来の公知のものを利用して製造することができ、これらの材料や形状、歯ブラシの硬さなどについては従来と同様に行なうようにできる。
【００１７】
【実施例】
図１〜図３は、本発明の一実施例を示すものである。歯ブラシ１は、ヘッド４の長さ２５ｍｍ、幅８ｍｍ、厚さ４ｍｍとしてその植設部にナイロン毛の長さ９ｍｍのものを３列、８毛束としたブラシ５を植設し、後部の把持部２の長さを１００ｍｍとし、０．３ｍｍ厚さの二又状のステンレススチールシートの弾性材６で形成したスリーピン状のヘッド支持部３を円滑な湾曲状としてその両端部をポリプロピレンのヘッド４、把持部２にそれぞれインサートして全長を１６０ｍｍに一体的に形成したものである。
【００１８】
上記した弾性材６のヘッド支持部３は、３５０ｇの加圧力で反転し得るように図２、図３のように両端に比べて中央にいく程二又状の間隔を幅広くして所定の湾曲状に歪ませて両端部を接合し、この両端部をヘッド４、把持部２にそれぞれ装着したものである。
【００１９】
使用にあたっては、歯ブラシ１の把持部２をもってブラシ５を歯に当ててブラッシングし、少し強く押し当ててブラッシングすると、図１の一点鎖線で示したように弾性材６のヘッド支持部３が反り返ってヘッド４が外方へ反転する。そこで再びヘッド４を内側に戻して力を加減しながらブラッシングしていく。
【００２０】
このように少し強くブラッシングするとヘッド４が外側に反転するので、過剰なブラッシングであることを判断できて適正な加圧力が分かり、常に適正な加圧力でブラッシングすることができ、歯や歯肉を傷めず、歯ブラシも異常に毛先を広げることもなく耐久性よく使用できる。
【００２１】
そのため、歯科医院等でのブラッシングの指導を本歯ブラシを使用することによって、実施者に実感をもって行なってもらえ、また自分自身でも適切な加圧力をかけ、かつチェックしながら歯を磨くことができるものである。
【００２２】
図４、図５は、本発明の他の実施例で、ばね鋼の０．３ｍｍ厚さのシート材を細長状のコの字状に打ち抜いてその先端を溶接等で接合し、その周部にシリコンのゴム材の被覆材７を被覆してヘッド支持部３としたものである。
【００２３】
本実施例のものでも、前実施例と同じように使用できるとともに、ステンレススチールでなくても、可撓性のゴム材や樹脂材を被覆することによって防錆力を有して衛生的に使用することができる。
【００２４】
図６（ａ）、（ｂ）は、本発明のさらに他の実施例で、弾性シート材のヘッド支持部３を二又状の先端部を交叉させリベット８で接合して上記のようにヘッド４、把持部２に挿着するようにしたもので、このように適宜の変形態様を実施することができる。
【００２５】
このように歯ブラシを反転したり、折曲するようにでき、本発明の趣旨にもとづいて電動歯ブラシにも転用できるものである。
【００２６】
【発明の効果】
以上のように本発明にあっては、歯ブラシが所定の加圧力以上でのブラッシングのときにヘッド部が反り返るように反転可能に形成した適正加圧の歯ブラシであって、歯ブラシのヘッドと把持部との間のヘッド支持部がブラシと反対方向に突き出た湾曲状として、所定の加圧力以上でのブラッシングのときにヘッド部が反り返るように反転可能なステンレススチールシート等の弾性材でヘッド支持部を形成して、上記弾性材を０．２〜０．５ｍｍ厚さの所定の長さとした両端に比べて中央にいく程二又状の間隔を幅広くして調整した３００〜３５０ｇまたは２５０〜３００ｇの加圧力のブラッシング力のものとすることによって、これらの加圧力よりも少し強くブラッシングするとヘッドが外側に反転して、過剰なブラッシングであることを判断でき、常に適正な加圧力でブラッシングすることができ、歯や歯肉を傷めず、歯ブラシも異常に毛先を広げることもなく耐久性よく使用できる。
【００２７】
また、歯科医院等でのブラッシングの指導をこの歯ブラシを使用することによって、実施者に実感をもって行なってもらえ、また自分自身でも適切な加圧力をかけ、またチェックしながら歯を磨くことができるものである。
【００２８】
また、歯が健康な状態には上記弾性材を０．２〜０．５ｍｍ厚さの所定の長さとした両端に比べて中央にいく程二又状の間隔を幅広くして調整した３００〜３５０ｇの加圧力のブラッシング力のものを形成することによって、３００〜３５０ｇと２５０〜３００ｇのそれぞれ適正な加圧力でブラッシングでき、少し強くブラッシングするとヘッドが外側に反転して、過剰なブラッシングであることを判断でき、常に適正な加圧力でブラッシングすることができ、歯や歯肉を傷めず、歯ブラシも異常に毛先を広げることもなく耐久性よく使用できる。
【００２９】
また、歯が歯周病にかかった状態には上記弾性材を０．２〜０．５ｍｍ厚さの所定の長さとした両端に比べて中央にいく程二又状の間隔を幅広くして調整した通常よりもやや少ない２５０〜３００ｇの加圧力のブラッシング力のものとすることによって、歯周病にかかった人の場合には、２５０〜３００ｇの加圧力でブラッシングでき、少し強くブラッシングするとヘッドが外側に反転して、過剰なブラッシングであることを判断でき、常に適正な加圧力でブラッシングすることができ、歯や歯肉を傷めず、歯ブラシも異常に毛先を広げることもなく耐久性よく使用できる。
【００３０】
このように歯が健康な人、歯周病の人に対してそれぞれ適正な加圧力のブラッシングで歯を磨くことができる。そして、このようなヘッドが反転可能な歯ブラシを簡単かつ安価に製造することができる。
【図面の簡単な説明】
【図１】    本発明の一実施例の側面図、
【図２】    同上の平面図、
【図３】    同上のヘッド支持部のやや拡大した側断面図、
【図４】    同上の他の実施例の側面図、
【図５】    同上の平面図、
【図６】    同上のヘッド支持部の他の実施例の側面図（ａ）と平面図（ｂ）。
【符号の説明】
１…歯ブラシ            ２…把持部            ３…ヘッド支持部
４…ヘッド              ５…ブラシ            ６…弾性材
【図１】
0004118067.tif 000002
【図２】
0004118067.tif 000003
【図３】
0004118067.tif 000004
【図４】
0004118067.tif 000005
【図５】
0004118067.tif 000006
【図６】
0004118067.tif 000007